(57)【要約】【課題】  配線基板５をディスク駆動機構の構体に取り付けるのに取付ビスを用いない手段を提供する。【解決手段】  ディスク駆動機構の構体１の座面１２に載架した配線基板５をビス止めすることに代えて、トップカバー７に絞り加工を施して形成した横向き突起２と構体１に痛い成形した横向き突起３とにより配線基板５を挟んでその配線基板５を前後及び左右の２軸方向で位置決めする。また、トップカバー５に絞り加工を施して形成した下向き突起４で配線基板５を座面１２に押し付けることによりその配線基板５を上下方向で位置決めする。下向き突起４を配線基板５のアース電極５１に接触させる。【選択図】        図１
0003107004.tif 000002
【実用新案登録請求の範囲】
【請求項１】
ボトムケースと板金製のトップカバーとを有するハウジングに収容されているディスク駆動機構の構体の上面に具備された座面に、上記駆動機構の制御回路を備えた配線基板を載架してビス止めすることによって、その配線基板を前後、左右及び上下の３軸方向で位置決めしているディスク装置において、
上記座面に載架された上記配線基板をビス止めすることに代えて、上記トップカバーと上記構体とから選ばれる少なくとも一方側部材に設けた複数箇所の横向き突起により上記配線基板を挟んでその配線基板を前後及び左右の２軸方向で位置決めし、かつ、上記トップカバーに具備させた下向き突起と上記座面とにより上記配線基板を挟んで上下方向で位置決めしていて、
複数箇所の上記横向き突起に、トップカバーに絞り加工を施して形成された膨出部と、構体と共に合成樹脂で一体成形されて上記配線基板の端縁部が嵌合された溝部を備える係止爪とが含まれていると共に、上記配線基板が矩形に形成されて前後対辺方向及び左右対辺方向のそれぞれにおいて、トップカバー側の上記膨出部と構体側の上記係止爪とが配線基板を挟んでおり、
上記下向き突起がトップカバーに絞り加工を施して形成された膨出部でなり、かつ、その下向き突起が、上記配線基板に具備されたアース電極に接触していることを特徴とするディスク装置。
【請求項２】
ボトムケースと板金製のトップカバーとを有するハウジングに収容されているディスク駆動機構の構体の上面に具備された座面に、上記駆動機構の制御回路を備えた配線基板を載架してビス止めすることによって、その配線基板を前後、左右及び上下の３軸方向で位置決めしているディスク装置において、
上記座面に載架された上記配線基板をビス止めすることに代えて、上記トップカバーと上記構体とから選ばれる少なくとも一方側部材に設けた複数箇所の横向き突起により上記配線基板を挟んでその配線基板を前後及び左右の２軸方向で位置決めし、かつ、上記トップカバーに具備させた下向き突起と上記座面とにより上記配線基板を挟んで上下方向で位置決めしていることを特徴とするディスク装置。
【請求項３】
複数箇所の上記横向き突起に、トップカバーに絞り加工を施して形成された膨出部が含まれている請求項２に記載したディスク装置。
【請求項４】
複数箇所の上記横向き突起に、構体と共に合成樹脂で一体成形されて上記配線基板の端縁部が嵌合された溝部を備える係止爪が含まれている請求項３に記載したディスク装置。
【請求項５】
上記下向き突起がトップカバーに絞り加工を施して形成された膨出部でなり、かつ、その下向き突起が、上記配線基板に具備されたアース電極に接触している請求項２ないし請求項４のいずれか１項に記載したディスク装置。
【考案の詳細な説明】
【技術分野】
【０００１】
本考案は、ディスク装置、特にハウジングに収容されたディスク駆動機構の構体の上面に、その駆動機構の制御回路を備えた配線基板が配備されているという構成を備えたディスク装置に関する。
【背景技術】
【０００２】
図６は従来のディスク装置のディスク駆動機構の構体１と配線基板５とを示した概略平面図であり、同図を参照して従来のこの種のディスク装置を説明する。
【０００３】
構体１は合成樹脂成形体でなり、その構体１には、ディスクを搬入出するためのディスクトレイ（不図示）や、構体内に搬入されたディスクのチャッキング機構（不図示）、チャッキング機構により保持されて回転するディスクを光学的に走査する光ピックアップなどのディスク駆動機構が取り付けられている。そして、そのディスク駆動機構の動作を制御するための制御回路が、構体１の上面に固定された矩形の配線基板５に形成されている。
【０００４】
従来の場合、図示のように、コネクタＣや必要な電気電子部品などを搭載した配線基板５は少なくとも２箇所が取付ビス６を用いて構体１にビス止めされていて、そのようなビス止め構造によって梱包落下時などに配線基板５が構体１から脱落することを防いでいた。
【０００５】
一方、光ディスク装置のトップカバーに絞り加工を施すことが公知である（たとえば特許文献１参照）。また、ハードディスクドライブなどの磁気ディスク装置において、プリント回路基板に端部に接続したＩ／Ｆコネクタを、トップカバー及びボトムカバーのコネクタ支持部により挟持して位置決めすることも公知である（たとえば特許文献２参照）。
【特許文献１】特開平１０−２５５４５７号公報
【特許文献２】特開２００１−２１００５８号公報
【考案の開示】
【考案が解決しようとする課題】
【０００６】
図６を参照して説明した従来のディスク装置では、少なくとも２本の取付ビス６を用いて構体１にビス止めするという手段を採用することにより、配線基板５を前後、左右及び上下の互いに直交する３軸方向で位置決めして固定していたため、少なくとも２本の取付ビス６が必要になって部品コストが高くなるばかりか、組立工程中で煩わしいビス止め作業を行うことが不可欠になって組立コストも高くつくという問題があった。
【０００７】
本考案はこの問題に鑑みてなされたものであり、ハウジングのトップカバーが、構体の上面に載架されている配線基板に対向して配備されていることに着目した上で、ハウジングのトップカバー又は構体の形状に工夫を講じることによって、取付ビスを省略することができ、しかも、部品を追加することなく構体の上面に載架した配線基板を前後、左右及び上下の３軸方向で位置決めすることのできるディスク装置を提供することを目的とする。
【課題を解決するための手段】
【０００８】
本考案に係るディスク装置は、ボトムケースと板金製のトップカバーとを有するハウジングに収容されているディスク駆動機構の構体の上面に具備された座面に、上記駆動機構の制御回路を備えた配線基板を載架してビス止めすることによって、その配線基板を前後、左右及び上下の３軸方向で位置決めしているディスク装置において、上記座面に載架された上記配線基板をビス止めすることに代えて、上記トップカバーと上記構体とから選ばれる少なくとも一方側部材に設けた複数箇所の横向き突起により上記配線基板を挟んでその配線基板を前後及び左右の２軸方向で位置決めし、かつ、上記トップカバーに具備させた下向き突起と上記座面とにより上記配線基板を挟んで上下方向で位置決めしている。
【０００９】
この構成であると、配線基板を前後、左右及び上下の３軸方向で位置決めするのに取付ビスを用いず、トップカバーと上記構体とから選ばれる少なくとも一方側部材に設けた複数箇所の横向き突起とトップカバーに具備させた下向き突起と構体側の座面とによって配線基板を上記３軸方向で位置決めすることができ、しかも、梱包落下時などに配線基板が脱落することもないので、取付ビスを省略して部品コストと組立コストとを低減することが可能になる。
【００１０】
本考案では、複数箇所の上記横向き突起に、トップカバーに絞り加工を施して形成された膨出部が含まれているという構成や、複数箇所の上記横向き突起に、構体と共に合成樹脂で一体成形されて上記配線基板の端縁部が嵌合された溝部を備える係止爪が含まれているという構成を採用することができ、これらの構成を採用することによって、配線基板を位置決めするのに専用の別部品を用いる必要がなくなり、その結果、部品点数を増やすことなく配線基板を構体から脱落しないように位置決めすることが可能になる。
【００１１】
本考案では、上記下向き突起がトップカバーに絞り加工を施して形成された膨出部でなり、かつ、その下向き突起が、上記配線基板に具備されたアース電極に接触している、という構成を採用することが望ましい。これによれば、配線基板のアース電極を、板ばねなどの別部品を用いることなくトップカバーに電気的接続することができるという利点がある。
【００１２】
本考案に係るディスク装置は、ボトムケースと板金製のトップカバーとを有するハウジングに収容されているディスク駆動機構の構体の上面に具備された座面に、上記駆動機構の制御回路を備えた配線基板を載架してビス止めすることによって、その配線基板を前後、左右及び上下の３軸方向で位置決めしているディスク装置において、上記座面に載架された上記配線基板をビス止めすることに代えて、上記トップカバーと上記構体とから選ばれる少なくとも一方側部材に設けた複数箇所の横向き突起により上記配線基板を挟んでその配線基板を前後及び左右の２軸方向で位置決めし、かつ、上記トップカバーに具備させた下向き突起と上記座面とにより上記配線基板を挟んで上下方向で位置決めしていて、複数箇所の上記横向き突起に、トップカバーに絞り加工を施して形成された膨出部と、構体と共に合成樹脂で一体成形されて上記配線基板の端縁部が嵌合された溝部を備える係止爪とが含まれていると共に、上記配線基板が矩形に形成されて前後対辺方向及び左右対辺方向のそれぞれにおいて、トップカバー側の上記膨出部と構体側の上記係止爪とが配線基板を挟んでおり、上記下向き突起がトップカバーに絞り加工を施して形成された膨出部でなり、かつ、その下向き突起が、上記配線基板に具備されたアース電極に接触している、という構成を採用することによっていっそう具体化される。
【考案の効果】
【００１３】
以上のように、本考案によれば、配線基板をディスク駆動機構の構体に取り付ける手段として、ハウジングのトップカバーやディスク駆動機構の構体に形成した複数の横向き突起とトップカバーに形成した下向き突起と座面とにより配線基板を前後、左右及び上下の３軸方向で位置決めする構成としたので、部品点数を増やさずに取付ビスを省略することができるようになって、部品コストの低減と作業工程が削減されることによる組立コストの低減が図られるという効果が奏される。
【００１４】
特に、ディスク駆動機構の構体の上面に配備されている配線基板の上方に板金製のトップカバーが配備されることに着目してそのトップカバーに横向き突起や下向き突起を形成するようにしたので、それらの横向き突起や下向き突起を、板金製のトップカバーを絞り加工することにより容易に形成することのできる膨出部によって形成することができるようになり、そのことが、配線基板の位置決め対策に費やされるコストを最少限度に抑えることに役立つという卓効がある。
【考案を実施するための最良の形態】
【００１５】
図１は本考案の実施形態に係るディスク装置のディスク駆動機構の構体１と配線基板５とを示した概略平面図、図２は図１のＩＩ−ＩＩ線に沿う部分の概略拡大断面図、図３は図１のＩＩＩ−ＩＩＩ線に沿う部分の概略拡大断面図、図４は図１のＩＶ−ＩＶ線に沿う部分の概略拡大断面図、図５は配線基板５の位置決め構造の変形例を示した概略平面図である。
【００１６】
図１において、合成樹脂成形体でなる構体１に、ディスクを搬入出するためのディスクトレイ（不図示）や、構体内に搬入されたディスクのチャッキング機構（不図示）、チャッキング機構により保持されて回転するディスクを光学的に走査する光ピックアップなどのディスク駆動機構が取り付けられていて、ディスク駆動機構の動作を制御するための制御回路が、構体１の上面に固定された矩形の配線基板５に形成されているという点で、図６を参照して説明した従来例と同様である。
【００１７】
この実施形態では、図２〜図４のように、配線基板５が、構体１に形成した平坦な座面１２に載架されていることに加えて次の手段を採用することによって前後、左右及び上下の３軸方向で位置決めされている。すなわち、図６に示した２本の取付ビス６，６を省略してあり、その代わりに、ハウジングの板金製のトップカバー７に絞り加工を施して形成された膨出部７１でなる２箇所の横向き突起２と、構体１と共に合成樹脂で一体成形した２箇所の係止爪１１でなる横向き突起３とにより配線基板５を挟んでその配線基板５を前後方向Ｙ及び左右方向Ｘの２軸方向で位置決めし、さらに、板金製のトップカバー７を絞り加工することによって形成した湾曲形状の膨出部７２でなる下向き突起４で配線基板５を座面１２に弾圧させることによってその配線基板５を上下方向で位置決めしてある。さらに具体的には、矩形の配線基板５の前後対辺方向及び左右対辺方向のそれぞれにおいて、トップカバー７側の膨出部７１と構体１側の係止爪１１とが配線基板５を挟んでいる。また、係止爪１１には、上記座面１２を溝壁面とする溝部１３が備わっていて、その溝部１３に配線基板５の端縁部が嵌合されている。したがって、溝部１３と配線基板５との嵌合構造によっても、配線基板５が上下方向で位置決めされている。
【００１８】
さらに加えて、この実施形態では、トップカバー７の下向き突起４を、配線基板５に具備させたアース電極５１に弾接させてある。そのため、板ばねなどの別部品を用いることなく、トップカバー７がアース電極５１に電気的接続されている。
【００１９】
この構成であると、配線基板５を前後、左右及び上下の３軸方向で位置決めするのに図６に示した取付ビス６を用いていないにもかかわらず、トップカバー７側の横向き突起２と構体１側の横向き突起３とによって配線基板５を前後及び左右の２軸方向で位置決めし、かつ、トップカバー７の下向き突起４と構体１側の座面１２とによって配線基板５を上下方向で位置決めしているので、梱包落下時などに配線基板５が構体１から脱落することがない。しかも、トップカバー７側の横向き突起２や下向き突起４は、トップカバー７に絞り加工を施すことによって形成されり膨出部７１，７２でなり、構体１側の横向き突起３は構体１と一体に成形した係止爪１１でなるので、部品点数が増えることにならない。その結果、取付ビスを省略して部品コストが低減され、併せて、ねじ止め作業工程を削減できることによって組立コストが低減される。
【００２０】
図５に示した配線基板５の位置決め構造の変形例では、トップカバー７の３箇所を絞り加工して形成した膨出部７１でなる３つの横向き突起２と、構体１に一体成形した係止爪１１でなる横向き突起３とによって配線基板５を前後及び左右の２軸方向で位置決めしてある。これによっても、上記したところと同様の作用を期待することができる。
【００２１】
本考案に係るディスク装置において、配線基板を前後及び左右の２軸方向で位置決めするための構造としては、矩形の配線基板の４つの辺のそれぞれに、トップカバーの４箇所に形成した膨出部でなる横向き突起のそれぞれを対峙させた構成としても、あるいは、矩形の配線基板の４つの辺のそれぞれに、構体１の４箇所に形成した係止爪でなる横向き突起のそれぞれを対峙させた構成としてもよい。
【図面の簡単な説明】
【００２２】
【図１】本考案の実施形態に係るディスク装置のディスク駆動機構の構体と配線基板とを示した概略平面図である。
【図２】図１のＩＩ−ＩＩ線に沿う部分の概略拡大断面図である。
【図３】図１のＩＩＩ−ＩＩＩ線に沿う部分の概略拡大断面図である。
【図４】図１のＩＶ−ＩＶ線に沿う部分の概略拡大断面図である。
【図５】配線基板の位置決め構造の変形例を示した概略平面図である。
【図６】従来例に係るディスク装置のディスク駆動機構の構体と配線基板とを示した概略平面図である。
【符号の説明】
【００２３】
１  ディスク駆動機構の構体
２，３  横向き突起
４  下向き突起
５  配線基板
７  トップカバー
１１  係止爪
１２  座面
５１  アース電極
７１  膨出部
７２  膨出部
【図１】
0003107004.tif 000003
【図２】
0003107004.tif 000004
【図３】
0003107004.tif 000005
【図４】
0003107004.tif 000006
【図５】
0003107004.tif 000007
【図６】
0003107004.tif 000008